(57)【要約】【課題】非常灯及び誘導灯のような照明装置に設けられている充電モニタの光を、宿泊客が不快に感じる恐れのない照明装置を提供する。【解決手段】非常灯１は、充電モニタ１１ａと制御回路２７とを有するモニタ装置を備えている。充電モニタ１１ａは非常灯１の有する電池３の充電状態を点灯または点滅の発光状態によって通知する。モニタ装置１００は、充電モニタ１１ａの明るさの低減を要求する明るさ低減信号を送信するリモコンから明るさ低減信号を受信回路３５及び信号受信部３６を介して受信する。制御回路２７は、信号受信部３６が明るさ低減信号を受信した場合に、充電モニタ１１ａの明るさ設定を、明るさ低減信号の受信直前における明るさ設定よりも暗く設定する。非常灯１により、充電モニタ１１ａの光を、宿泊客が不快に感じる恐れのない照明装置を提供することができる。【選択図】図７
2019212454.tif 000002
【特許請求の範囲】
【請求項１】
機器の状態を発光状態によって通知するモニタ用光源と、
前記モニタ用光源の明るさの低減を要求する明るさ低減信号を送信する送信装置から前記明るさ低減信号を受信する信号受信部を有し、前記信号受信部が前記明るさ低減信号を受信した場合に、前記モニタ用光源の明るさ設定を前記明るさ低減信号の受信の直前の明るさ設定よりも暗く設定する制御回路と、
を備えるモニタ装置。
【請求項２】
前記送信装置は、
前記モニタ用光源の明るさの増加を要求する明るさ増加信号を送信し、
前記制御回路は、
前記モニタ用光源の明るさ設定を前記明るさ低減信号の受信の直前の明るさ設定よりも暗く設定した後に、前記信号受信部によって前記送信装置から前記明るさ増加信号を受信した場合には、前記モニタ用光源の明るさ設定を前記明るさ増加信号の受信の直前の明るさ設定よりも明るく設定する請求項１に記載のモニタ装置。
【請求項３】
前記送信装置は、
リモートコントロール装置と、明るさを検出する照度センサとの少なくともいずれかである請求項１または請求項２に記載のモニタ装置。
【請求項４】
前記制御回路は、
表示パネルを発光させる光源の明るさを制御するとともに、前記信号受信部が前記光源の消灯を指示する消灯信号を受信した場合に、前記光源を消灯し、かつ、前記モニタ用光源の明るさ設定を前記消灯信号の受信の直前の明るさ設定よりも暗く設定する請求項１から請求項３のいずれか一項に記載のモニタ装置。
【請求項５】
機器の状態を発光状態によって通知するモニタ用光源と、前記モニタ用光源の明るさの低減を要求する明るさ低減信号を受信した場合に、前記モニタ用光源の明るさ設定を前記明るさ低減信号の受信の直前の明るさ設定よりも暗く設定する制御回路とを備えるモニタ装置に、前記明るさ低減信号を送信する送信部と、
前記送信部が送信する前記明るさ低減信号を生成する生成部と、
本体部と、
を備えるリモートコントロール装置。
【請求項６】
前記本体部の表面は、
第１の機器に使用する複数のボタンが配置された第１の配置領域と、第２の機器に使用する複数のボタンが配置された第２の配置領域と、前記生成部に前記明るさ低減信号を生成させるボタンが配置された第３の配置領域とに、区分けされている請求項５に記載のリモートコントロール装置。
【発明の詳細な説明】
【技術分野】
【０００１】
この発明は、モニタ装置及びリモートコントロール装置に関する。
【背景技術】
【０００２】
ビル、オフィス、店舗及び宿泊施設のような場所に、防災用途で設置が義務付けられている照明器具がある。この照明器具としては、居室、避難経路、店舗、ホテルの共用部分、ホテル客室のような場所に設置し、停電時でも床面に避難上有効な照度を与える非常用照明器具（以下、非常灯という）と、避難経路または非常口を示す機能の誘導灯との２つがある。非常灯は建築基準法で設置が定められている照明器具であり、誘導灯は消防法で設置が定められた避難設備の扱いである。両者は似ているようで、役目及び管轄が異なっている。これらの照明器具は、通常時は商用電源を用いて電池を充電し、停電時に電池で光源を点灯する。通常時に電池が充電中である旨を表示する緑色の表示灯（以下、充電モニタという）を設けることが、ＪＩＳ及び日本照明工業会の技術基準で定められている。
【０００３】
これに対し、電池の状態を確認するために、照明器具には点検スイッチが設けられ、点検スイッチの操作により、停電を模擬して電池を用いて光源を点灯させる。
【０００４】
近年、マイクロコンピュータのような制御装置を内蔵して自動的に規定時間の非常時の動作をする自動点検機能と、光源の寿命または異常を表示する表示灯（以下、ランプモニタという）と、点検中であることを表示する表示灯（以下、点検モニタという）とを有する照明器具が登場している。また、点検動作へのスイッチ操作をリモートコントロール装置（以下、リモコンという）で行える照明器具が製品化されている。特に誘導灯では、光源をＬＥＤに変えるのを機に、充電モニタ、ランプモニタを有し、リモコンで点検を行える誘導灯が主流となった（例えば特許文献１，２）。
【先行技術文献】
【特許文献】
【０００５】
【特許文献１】特開２００９−０３２５４３号公報
【特許文献２】特開２０１１−１２４０３１号公報
【発明の概要】
【発明が解決しようとする課題】
【０００６】
充電モニタ、ランプモニタ及び点検モニタのような表示灯（以下、モニタという）は、非常灯に内蔵されている蓄電池の充電を確認する上で、法規上必要である。しかし、民泊、ホテルなどの宿泊施設を利用する宿泊客には、モニタが確認できなくても良い。宿泊客は、照明を消灯したときに、緑色の充電モニタが点灯していることを不快に感じる可能性がある。
【０００７】
本発明は、モニタの灯りを宿泊客が不快に感じる可能性をなくす、モニタ装置の提供を目的とする。
【課題を解決するための手段】
【０００８】
この発明のモニタ装置は、
機器の状態を発光状態によって通知するモニタ用光源と、
前記モニタ用光源の明るさの低減を要求する明るさ低減信号を送信する送信装置から前記明るさ低減信号を受信する信号受信部を有し、前記信号受信部が前記明るさ低減信号を受信した場合に、前記モニタ用光源の明るさ設定を前記明るさ低減信号の受信の直前の明るさ設定よりも暗く設定する制御回路と、
を備える。
【発明の効果】
【０００９】
本発明のモニタ装置によれば、モニタの灯りを宿泊客が不快に感じる可能性をなくす、モニタ装置を提供できる。
【図面の簡単な説明】
【００１０】
【図１】実施の形態１の図で、非常灯１の斜視図。
【図２】実施の形態１の図で、非常灯１の分解斜視図。
【図３】実施の形態１の図で、非常灯１の側面図。
【図４】実施の形態１の図で、リモコン１３の３面図。
【図５】実施の形態１の図で、モニタ明るさ調整ボタン１５ｅを押下したときのモニタの明るさの切り替えを示す図。
【図６】実施の形態１の図で、リモコン１３のブロック図。
【図７】実施の形態１の図で、非常灯１に内蔵される点灯ユニットの回路構成を示すブロック図。
【図８】実施の形態１の図で、非常灯１におけるモニタ類１１の点灯、点滅状態を示す図。
【図９】実施の形態１の図で、モニタ装置１００の動作のフローチャート。
【図１０】実施の形態１の図で、点灯ユニットのモニタ点灯回路図。
【図１１】実施の形態１の図で、点灯ユニットの他の例を示すモニタ点灯回路図。
【図１２】実施の形態１の図で、点灯ユニットの他の例を示すモニタ点灯回路図。
【図１３】実施の形態１の図で、点灯ユニットの他の例を示すモニタ点灯回路図。
【図１４】実施の形態２の図で、リモコンを示す図。
【図１５】実施の形態２の図で、リモコン１３を示す図。
【図１６】実施の形態２の図で、リモコン１３を示す別の図。
【図１７】実施の形態３の図で、非常灯１の斜視図。
【図１８】実施の形態３の図で、非常灯１の点灯ユニットの回路構成を示すブロック図。
【図１９】実施の形態３の図で、非常灯１の動作のフローチャート。
【図２０】実施の形態４の図で、誘導灯７１の分解斜視図。
【図２１】実施の形態４の図で、誘導灯７１の外観図。
【図２２】実施の形態４の図で、照度センサ６１を有する誘導灯７１の外観図。
【図２３】実施の形態５の図で、誘導灯７１のモニタ類１１の点灯及び点滅の状態を示す図。
【図２４】実施の形態５の図で、誘導灯７１の点灯ユニットの回路構成を示すブロック図。
【図２５】実施の形態５の図で、誘導灯７１の動作のフローチャート。
【発明を実施するための形態】
【００１１】
以下の実施の形態１から５では、機器の状態を発光状態によって通知するモニタ用光源と、制御回路とを備えるモニタ装置を説明する。
機器とは、以下の実施の形態では非常灯または誘導灯である。またモニタ用光源とは後述のモニタ類である。
制御回路は、モニタ用光源の明るさの低減を要求する明るさ低減信号を送信する送信装置から明るさ低減信号を受信する信号受信部する。
制御回路は、信号受信部が明るさ低減信号を受信した場合に、モニタ用光源の明るさ設定を明るさ低減信号の受信の直前の明るさ設定よりも暗く設定する。
以下の実施の形態では、送信装置とは、リモコンまたは照度センサとの少なくともいずれかである。モニタ装置によって、宿泊客が就寝時にモニタ用光源をまぶしく感じるおそれをなくすことができる。
【００１２】
また、送信装置は、モニタ用光源の明るさの増加を要求する明るさ増加信号を送信する。制御回路は、モニタ用光源の明るさ設定を明るさ低減信号の受信の直前の明るさ設定よりも暗く設定した後に、信号受信部によって送信装置から明るさ増加信号を受信した場合には、モニタ用光源の明るさ設定を明るさ増加信号の受信の直前の明るさ設定よりも明るく設定する。この設定によって、モニタ用光源の明るさを暗く設定した場合に、モニタ用光源が見えにくいという事態を回避できる。
また、制御回路による明るさ設定の対象であるモニタ用光源とは、以下の実施の形態では後述する充電モニタ１１ａを想定している。しかし、制御回路による明るさ設定の対象となるモニタ用光源は、以下の実施の形態にモニタ用光源として登場する充電モニタ１１ａ、ランプモニタ１１ｂ、点検モニタ１１ｃの３つ全部でもよいし、３つのうちのいずれか二つでもよいし、３つのうちのいずれか一つでもよい。
以下に、実施の形態１から実施の形態５を説明する。
【００１３】
実施の形態１．
＊＊＊構成の説明＊＊＊
以下、図１から図１３を参照して実施の形態１を説明する。
図１は、実施の形態１の非常灯１を示す斜視図である。
図２は、非常灯１の分解斜視図である。非常灯１は、取付面に形成された取付穴に埋込まれて設置される埋め込み型の照明器具である。取付面の具体例は、天井材の表面である天井面２００（図３）である。照明器具である非常灯１は、器具本体４と、取付バネ７と、光源ユニット２１０と、枠５とを有する。器具本体４の内部には、端子台８と、点灯ユニット２と、電池３とが収納される。端子台８と点灯ユニット２と電池３とは、取付金具２２０を用いて器具本体４の内部に配置される。
【００１４】
非常灯１の外観として、非常灯１は、器具本体４、非常灯１を天井面２００に取り付けるための取付バネ７、非常時に点灯するランプ６（レンズ６ａに覆われている）、を備える。器具本体４は後述の図３に示すように、天井面２００に開けられた穴に埋め込まれた状態に設置され、天井面２００の穴を覆う意匠面となる枠５を備える。
【００１５】
図１及び図２に示すように、枠５には、
（１）非常灯１の動作を確認するための点検スイッチ９、
（２）点検を自動的に行うためのスイッチである自己点検スイッチ１０、
（３）非常灯１の動作状態を表示する充電モニタ１１ａ、ランプモニタ１１ｂ及び点検モニタ１１ｃ、
（４）リモコン信号を受けるための受光部１２、の（１）〜（４）のための穴が形成されている。
充電モニタ１１ａ、ランプモニタ１１ｂ及び点検モニタ１１ｃに関して区別の必要がない場合には、総称として、充電モニタ１１ａ、ランプモニタ１１ｂまたは点検モニタ１１ｃはモニタ類１１と記す。
なお、充電モニタ１１ａ、ランプモニタ１１ｂ及び点検モニタ１１ｃは、いずれもＬＥＤである。
【００１６】
図３は、実施の形態１の非常灯１の構造を示す側面図である。非常灯１は、非常灯１の器具本体４の中に、点灯ユニット２、電池３、電源を受ける端子台８が内蔵された構造となっている。点灯ユニット２は、点検スイッチ９、自己点検スイッチ１０、モニタ類１１、受光部１２を備えている。
図４は、実施の形態１のリモコン１３の外観を示す図である。リモコン１３は、図４に示すように、本体部１４と、ユーザーが電池３の点検を行う際に操作するボタン類１５と、ボタン類１５を操作したときに赤外線信号を出力する送信部１６を備えている。ボタン類１５は後述のように、確認ボタン１５ａ，自己点検ボタン１５ｂ等である。
図５は、モニタ明るさ調整ボタン１５ｅを操作した時の、モニタ類１１の明るさ切り替えの例を示す。
モニタ類１１は「明るい」の場合が一番明るくなり、「基準の明るさ」の場合が「明るい」よりも暗くなり、「暗い」の場合が最も暗くなる。モニタ類１１の現在の明るさ設定が「基準の明るさ」の場合、作業者がモニタ明るさ調整ボタン１５ｅを押下するたびに、モニタ類１１の明るさ設定が、「暗い」、「明るい」、「基準の明るさ」、「暗い」、・・・の設定に変化する。
【００１７】
図５において「基準の明るさ」とは、非常灯１のモニタ類１１の明るさの通常の標準的な明るさとして制御回路２７に組み込まれている明るさである。
図５において、リモコン１３が送信する信号のうち、モニタ類１１を「明るい」の設定から「基準の明るさ」の設定に変更する信号、及びモニタ類１１を「基準の明るさ」の設定から「暗い」の設定に変更する信号は、両者とも明るさ低減信号である。また、図５において、リモコン１３が送信する信号のうち、モニタ類１１を「暗い」の設定から「基準の明るさ」の設定に変更する信号は、明るさ増加信号である。
【００１８】
図６は、リモコン１３のブロック図である。リモコン１３は、無線信号を生成する生成部１５−１と、無線信号を後述のモニタ装置１００に送信する送信部１６とを備えている。生成部１５−１は、確認ボタン１５ａ、自己点検ボタン１５ｂ、中断ボタン１５ｃ、手動点検ボタン１５ｄ、モニタ明るさ調整ボタン１５ｅのどれかが押下された場合、押下されたボタンに対応する無線信号を生成する。この無線信号を送信部１６が送信する。
【００１９】
このように、モニタ装置は、機器の状態を発光状態によって通知するモニタ用光源と、モニタ用光源の明るさの低減を要求する明るさ低減信号を受信した場合に、モニタ用光源の明るさ設定を明るさ低減信号の受信の直前の明るさ設定よりも暗く設定する制御回路とを備えている。リモコン１３は、このモニタ装置に明るさ低減信号を送信する送信部と、送信部が送信する明るさ低減信号を生成する生成部と、本体とを備えている。
【００２０】
図７は、図１の器具本体４に格納されている点灯ユニット２の回路構成と、電池３とランプ６との配線を示すブロック図である。図７に示すように、モニタ用光源であるモニタ類１１と、受信回路３５と、制御回路２７とは、モニタ装置１００を構成する。
点灯ユニット２は、整流回路２２、第１ＤＣ−ＤＣコンバータ２３、充電回路２５、制御回路２７、制御電源生成回路２６、第２ＤＣ−ＤＣコンバータ２９、モニタ類１１、点検スイッチ９、自己点検スイッチ１０、受信回路３５を備えている。
（１）整流回路２２は、商用電源２１を整流する。
（２）第１ＤＣ−ＤＣコンバータ２３は、整流した電源の電圧を変換する。
（３）充電回路２５は、電池３を充電する。
（４）制御回路２７は、点灯ユニット２の制御を行なう。
（５）制御電源生成回路２６は、制御回路の電源を生成する。
（６）第２ＤＣ−ＤＣコンバータ２９は、電池３の電圧を昇圧する。
（７）モニタ類１１は、点灯ユニット２の状態を示す。
（８）点検スイッチ９は、電池３の点検を行うためのスイッチである。
（９）自己点検スイッチ１０は、電池３の点検を自動的に行うトリガ信号となる。
（１０）受信回路３５は、リモコン１３の信号を受信する。
【００２１】
制御回路２７は、例えばマイクロコンピュータで構成される。制御回路２７は、電池電圧検出部４２と、停電検出回路４８と、信号受信部３６と、点検信号受信部３７と、自己点検信号受信部３８と、充電モニタ制御部４３と、ランプモニタ制御部４４と、点検モニタ制御部４５と、遮断回路制御部４６と、第２ＤＣ−ＤＣコンバータ制御回路３０と、出力電圧検出部４１とを備えている。
（１）電池電圧検出部４２は、電池３の電池電圧を検出する。
（２）停電検出回路４８は、第１ＤＣ−ＤＣコンバータ２３の出力を監視し、商用電源２１が供給されているか否かを検知する。
（３）信号受信部３６は、リモコン１３の送信部１６から送信される信号を受信回路３５を介して受信する。
（４）点検信号受信部３７は、点検スイッチ９からの信号を入力する。
（５）自己点検信号受信部３８は、自己点検スイッチ１０の信号を受ける。
（６）充電モニタ制御部４３は、電池３が正常に充電されているか否かをＬＥＤからなる充電モニタ１１ａに電池充電検出信号を出力して、充電モニタ１１ａを点灯または消灯させる。充電モニタ１１ａの発光色は緑色である。充電モニタ１１ａは電池３の充電状態を示す。
（７）ランプモニタ制御部４４は、ランプ６の異常を検出した時にランプモニタ１１ｂを点灯または消灯させる。ランプモニタ１１ｂの発光色は赤色である。ランプモニタ１１ｂはランプ６の状態を示す。
（８）点検モニタ制御部４５は、点検中にＬＥＤからなる点検モニタ１１ｃを点灯または消灯させる。
点検モニタ１１ｃの発光色は橙色である。点検モニタ１１ｃは非常灯１が自己点検状態にあることを示す。
図１に示すように、自己点検スイッチ１０の隣から、ランプモニタ１１ｂ、充電モニタ１１ａ、点検モニタ１１ｃの順に配置されている。
（９）遮断回路制御部４６は、第１ＤＣ−ＤＣコンバータ２３の出力をオン／オフする遮断回路４７を制御する信号を出力する。
（１０）第２ＤＣ−ＤＣコンバータ制御回路３０は、第２ＤＣ−ＤＣコンバータ２９の動作を制御（オン／オフ信号を出力）する。
（１１）出力電圧検出部４１は、非常点灯時の第２ＤＣ−ＤＣコンバータ２９の出力を検出する。
【００２２】
図８は、非常灯１におけるモニタ類１１の点灯及び点滅状態を示す。具体的に説明すれば、図８は、自己点検中表示、充電の正常時、「寿命」または「外れ、破損」の場合の電池異常時、「外れ、破損」の場合のランプ異常時、点検可能状態、及び点検不可能状態における、充電モニタ１１ａ、ランプモニタ１１ｂ及び点検モニタ１１ｃの、モニタ表示を示す。
例えば充電モニタ１１ａの場合、電池３の正常時は点灯、電池３の寿命で点滅、点検可能状態で点滅、それ以外は消灯状態である。
図８の様な点滅状態または点灯状態であっても、リモコン１３のモニタ明るさ調整ボタン１５ｅの押下によって、図５に示すように、モニタ装置１００の制御回路２７がモニタ類１１の明るさ設定を変える信号を入力した場合に、モニタ類１１の明るさが変わる。モニタ類１１の明るさが不快と思う場合には暗く、また、高い天井部分に設置された非常灯では明るくして、モニタ類１１の確認が容易にできる。なお図８の非常灯の場合の点灯及び点滅の状態は一例であり、図８に示すパターンに限定されない。
【００２３】
＊＊＊動作の説明＊＊＊
次に、非常灯１の回路動作を説明する。以下の動作主体は制御回路２７である。
制御回路２７は例えばマイクロコンピュータである。商用電源２１が供給されているとき、第１ＤＣ−ＤＣコンバータ２３は、整流回路２２で整流された電圧を電池３を充電するに足りる電圧に変換する。第１ＤＣ−ＤＣコンバータ２３で変換された電圧は、制御電源生成回路２６でさらに制御電源に適正な電圧に変換され、制御回路２７の電源として入力される。この時、遮断回路制御部４６からの信号で遮断回路４７はオン（接続）状態となる。変換された電圧は、充電回路２５に入力され、電池３を充電する。なお、遮断回路４７のデフォルトはオン状態である。第１ＤＣ−ＤＣコンバータ２３の出力を検出する停電検出回路４８によって電圧が検出されるため、制御回路２７は、停電ではないと判断している。このとき電池３は充電されているので、充電モニタ１１ａは点灯している。
以下、この状態を充電状態という。
【００２４】
商用電源２１の供給が停止（停電など）したとき、第１ＤＣ−ＤＣコンバータ２３の出力は無くなるので、停電検出回路４８の電圧はゼロとなり、制御回路２７は停電と判断する。第１ＤＣ−ＤＣコンバータ２３の出力が無いため、電池３は充電しないので充電モニタ１１ａは消灯する。電池３は、制御回路２７の電源として電力を供給するとともに、第２ＤＣ−ＤＣコンバータ２９に電力を供給する。第２ＤＣ−ＤＣコンバータ２９は、電池３の電圧よりも高い電圧に電池３の電圧を昇圧して、ランプ６に電力を供給し、あらかじめ設定された電流でランプ６を点灯させる。電池３でランプ６を点灯させることを非常点灯という。
ランプ６に流れる電流を第２ＤＣ−ＤＣコンバータ２９に帰還するランプ電流検出回路３４により、ランプ６の出力が目標値になるように制御されている。なお、ランプ６の点灯は、供給する電力量を制御することで行っても構わない。
【００２５】
商用電源２１が復帰した時は、第１ＤＣ−ＤＣコンバータ２３が再び動作するので、停電検出回路４８は停電から復帰したと判断し、充電回路２５による電池３の充電状態へと自動的に復帰する。また、第２ＤＣ−ＤＣコンバータ制御回路３０は、第２ＤＣ−ＤＣコンバータ２９を停止するので、ランプ６は消灯する。
【００２６】
次に点検動作について説明する。点検動作とは、電池３でランプ６を確実に非常点灯できることを確認することであり、法的に定められた時間（一般定格で３０分、長時間定格で６０分）、電池３でランプ６を非常点灯できるかどうかを確認する動作である。
【００２７】
＜点検スイッチ９が押された場合の点検動作＞
点検スイッチ９から点検信号を点検信号受信部３７で受けると、制御回路２７は電池３を点検するための擬似停電モードとして、遮断回路制御部４６から遮断回路４７をオフし、電池３は充電されなくなる。第２ＤＣ−ＤＣコンバータ制御回路３０が第２ＤＣ−ＤＣコンバータ２９を動作させるように制御回路２７が制御することで、ランプ６には、電池３の電圧を第２ＤＣ−ＤＣコンバータ２９で昇圧した電圧が印加され、ランプ電流検出回路３４でランプ電流は適切な電流に制御される。この時、充電休止するため、充電モニタ１１ａは消灯する。点検スイッチ９からの点検信号は、スイッチを押している間は出力され、点検信号が出力されている間は、制御回路２７は点検動作を行なう。制御回路２７が、点検動作を法的に定められた時間（一般定格で３０分、長時間定格で６０分）行なうことで、電池の劣化により定められた時間非常点灯できなくなっていないかどうかを確認できる。
【００２８】
定められた時間非常点灯を電池３でできた場合、電池電圧検出部４２は電池３を正常と判定し、充電状態を維持する。定められた時間に達する前に、電池３の電圧が低下してしまい、ランプ６の点灯継続ができなくなり、電池電圧検出部４２が、電池３を劣化等で異常状態であると判定した場合、点検スイッチ９からの信号が絶たれたら、制御回路２７は遮断回路制御部４６から遮断回路４７をオンし、電池３を充電するが、充電モニタ１１ａは異常状態を示す点滅動作（図８）をする。これにより、制御回路２７は、電池３が劣化していることを点検者に報知する。
【００２９】
＜自己点検スイッチ１０が押下された場合の自己点検動作＞
次に、自己点検スイッチ１０から自己点検信号を自己点検信号受信部３８で受けた場合を説明する。自己点検スイッチ１０から自己点検信号を受けた場合、制御回路２７は４８時間以上の連続充電がされているかを確認する。４８時間以上の連続充電がされていない場合は、制御回路２７は、自己点検に移行しないで充電を継続する。制御回路２７は、４８時間以上の連続充電がされている場合、自己点検に移行する。制御回路２７は、電池３を点検するための擬似停電モードに法的に定められた時間移行し、定められた時間が経ったら元の充電状態に戻り、充電を行ない、充電モニタ１１ａを点灯させる。この時、既定の時間になる前に電池電圧が設定した電圧よりも低くなった場合、制御回路２７は電池３の寿命と判断し、その時点で擬似停電をやめ電池充電状態に戻り、充電モニタ１１ａを点滅させることで電池３が寿命である旨を報知する。この時、電池３の充電は継続して行っている。自己点検スイッチ１０からの自己点検信号は、自己点検スイッチ１０を長押したり、一旦押下し、自己点検移行待機状態の間に再度、自己点検スイッチ１０を押下する事で自己点検信号となるなど、誤操作及びいたずらを防止つつ、自己点検に移行する為の操作方法は問わない。
【００３０】
次に、リモコン１３について図４で説明する。リモコン１３は本体部１４に、ボタン類１５を配置した構造となっている。ボタン類１５には、確認ボタン１５ａ、自己点検ボタン１５ｂ、中断ボタン１５ｃ、手動点検ボタン１５ｄ、モニタ明るさ調整ボタン１５ｅを備えている。
（１）確認ボタン１５ａ押下で、リモコン１３は自己点検が実施できるかどうかを確認する信号を生成して送信する。
（２）自己点検ボタン１５ｂの押下で、リモコン１３は自己点検を開始する信号を生成して送信する。
（３）中断ボタン１５ｃの押下で、リモコン１３は自己点検中に中断する場合に中断する信号を生成して送信する。
（４）手動点検ボタン１５ｄの押下で、リモコン１３は点検スイッチ９と同様に、一時的に非常点灯状態にする信号を生成して送信する。
（５）モニタ明るさ調整ボタン１５ｅの押下で、リモコン１３は、明るさ低減信号または明るさ増加信号を生成して送信する。モニタ明るさ調整ボタン１５ｅの押下によるモニタ類１１の明るさの切り替えは、図５のとおりとする。
【００３１】
これらのボタンに表記される文字は、動作の概要を表すものであり、この文言そのままでなくても良く、例えば、モニタ明るさ調整ボタン１５ｅの「モニタ明るさ調整」は、「モニタ暗く」のような表記でもよい。また、ボタンの配置に関しては図４に示した例の配置以外でも良い。
【００３２】
ユーザーがリモコン１３のボタン類１５のうちの、自己点検ボタン１５ｂを押下すると、リモコン１３の送信部１６から自己点検信号が送信される。リモコン１３から出力される自己点検信号を受信回路３５が受信すると、４８時間以上充電されていれば、制御回路２７は、第１ＤＣ−ＤＣコンバータ２３の出力を遮断し、遮断回路制御部４６を介して遮断回路４７をオフ状態にし、擬似的に停電状態にする。
【００３３】
以降は、非常灯１は、自己点検スイッチ１０が押された場合の自己点検と同じように動作をし、電池３の点検の結果を充電モニタ１１ａで報知する。
【００３４】
自己点検を途中で中断したい場合は、中断ボタン１５ｃの操作、点検スイッチ９の押下、自己点検スイッチ１０の再押下、電源のオフ、オンなどの手段がある。
【００３５】
手動点検ボタン１５ｄは、非常灯１の点検スイッチ９と同様に、非常灯１を一時的に非常点灯状態にする。
手動点検ボタン１５ｄは一時的に非常灯１を非常点灯状態にするための信号を送信するボタンである。
手動点検ボタン１５ｄを押下している間、非常灯１は非常点灯状態になる。又は、手動点検ボタン１５ｄを一度操作すると無条件で３秒〜５秒非常点灯状態になり、自動的に充電状態に戻るものとする。
【００３６】
制御回路２７は、電池３が正常に充電していると判別するときは、充電モニタ制御部４３を介して充電モニタ１１ａを点灯する。制御回路２７は、電池３が正常に充電していないと判別するときは、充電モニタ制御部４３を介して充電モニタ１１ａを消灯し、充電状態が正常でないことを報知する。制御回路２７は、自己点検後に電池３が寿命と判断した場合は、充電モニタ１１ａを点滅させる。
【００３７】
夜間などに照明を消灯した場合に、周りが暗いにも関わらず、非常灯１のモニタ類１１のうち充電モニタ１１ａが明るすぎると思う場合、作業者はリモコン１３を非常灯１に向け、モニタ明るさ調整ボタン１５ｅを押下する。モニタ明るさ調整ボタン１５ｅが押下された場合、図５に示すように、充電モニタ１１ａの明るさ設定が「明るい」または「基準の明るさ」の場合、生成部１５−１は明るさ低減信号を生成する。通常は、充電モニタ１１ａの明るさ設定は「基準の明るさ」の設定である。この場合、モニタ装置１００の信号受信部３６が、受信回路３５を介して明るさ低減信号を受信する。
制御回路２７は、信号受信部３６が明るさ低減信号を受信した場合に、モニタ用光源である充電モニタ１１ａの明るさ設定を明るさ低減信号の受信の直前における明るさ設定よりも充電モニタ制御部４３に対して暗く設定する。よって、充電モニタ１１ａは明るさ低減信号の受信直前よりも暗く点灯する。よって、充電モニタ１１ａが安眠を妨げることなく安眠することができる。
【００３８】
図９は、充電モニタ１１ａの明るさ設定を暗くする場合の動作を示すフローチャートである。以下に、図９のフローチャートを説明する。図９の動作の主体は制御回路２７である。図９では、モニタ類１１のうち充電モニタ１１ａが明るさを暗くする対象である。また、図９では、充電モニタ１１ａの明るさ変化は、図９の右に示すように、モニタ明るさ調整ボタン１５ｅを押下するたびに、「基準の明るさ」の設定と「暗い」の明るさの設定とが交互に切り替わる。
【００３９】
ステップＳ１において、制御回路２７は停電検出回路４８を用いて、停電かどうか判定する。停電の場合、処理はステップＳ１３に進み、制御回路２７は非常点灯を行う。停電ではない場合、処理はステップＳ２に進む。
ステップＳ２において、制御回路２７は、電池電圧検出部４２を用いて、電池３が有り、かつ、充電中かを判定する。充電中で無い場合、処理はステップＳ１４に進み、制御回路２７は充電モニタ制御部４３を用いて、充電モニタ１１ａを消灯する。充電中である場合、処理はステップＳ３に進み、制御回路２７は電池電圧検出部４２を用いて、電池３が寿命かどうか判定する。電池３が寿命である場合、制御回路２７は充電モニタ制御部４３を用いて、充電モニタ１１ａを点滅させる（ステップＳ１５）。
電池３が寿命でない場合、制御回路２７は、充電モニタ制御部４３を用いて、充電モニタ１１ａを基準の明るさ設定の状態で点灯させる（ステップＳ４）。ここで基準の明るさとは、図５で述べたとおりである。
ステップＳ５において、作業者が、充電モニタ１１ａの明るさが丁度よいか判定する。作業者が充電モニタ１１ａの明るさが丁度よいと判定した場合、作業者はリモコン１３の操作をせず、充電モニタ１１ａの明るさの設定が終了する（ステップＳ１２）。
【００４０】
作業者は充電モニタ１１ａの明るさが丁度よいとステップＳ５で判定しない場合、充電モニタ１１ａのモニタ明るさ調整ボタン１５ｅを１回押下する（ステップＳ６）。この場合、リモコン１３は明るさ低減信号を生成して送信する。制御回路２７は受信回路３５及び信号受信部３６を介して明るさ低減信号を受信する。制御回路２７は明るさ低減信号を受信した場合、充電モニタ制御部４３を用いて充電モニタ１１ａを暗く点灯させる（ステップＳ７）。
【００４１】
ステップＳ８において、作業者が、充電モニタ１１ａの明るさが丁度よいか判定する。作業者が充電モニタ１１ａの明るさが丁度よいと判定した場合、リモコン１３の操作をせず、充電モニタ１１ａの明るさの設定が終了する（ステップＳ１２）。
作業者は充電モニタ１１ａの明るさが丁度よいとステップＳ８で判定しない場合、充電モニタ１１ａのモニタ明るさ調整ボタン１５ｅを再度押下する（ステップＳ９）。この場合、リモコン１３では、生成部１５−１が、モニタ用光源である充電モニタ１１ａの明るさの増加を要求する明るさ増加信号を生成し、送信部１６が、明るさ増加信号を送信する。制御回路２７は、信号受信部３６によってリモコン１３から明るさ増加信号を受信した場合に、充電モニタ１１ａの明るさを明るく点灯させる（ステップＳ１０）。
【００４２】
ステップＳ１１において、作業者が、充電モニタ１１ａの明るさが丁度よいか判定する。作業者が充電モニタ１１ａの明るさが丁度よいと判定した場合、リモコン１３の操作をせず、充電モニタ１１ａの明るさの設定が終了する（ステップＳ１２）。
作業者が充電モニタ１１ａの明るさが丁度よいとステップＳ１１で判定しない場合、処理はステップＳ６に進み、上記の処理が繰り返される。なお、上記の処理が繰り返されるのは、充電モニタ１１ａの設置される環境が、暗くなりまたは明るくなることにともなって、作業者が充電モニタ１１ａの明るさを変化させるからである。
【００４３】
制御回路２７が明るさ低減信号を受信した場合、あるいは明るさ増加信号を受信した場合、モニタ類１１の明るさを変えるためにはいくつかの手段がある。例えば図１０、図１１のようにモニタ類１１の各々の電流制限素子５０に対し、モニタ明るさ制御部５１で明るさ切替スイッチ素子５２をオンまたはオフさせて電流制限素子５３の接続を変えることで、明るさを変えることができる。図１０及び図１１では充電モニタ１１ａのみ電流制限素子５３を示しているが、ランプモニタ１１ｂ、点検モニタ１１ｃの電流制限素子５０に対する電流制限素子５３と明るさ切替スイッチ素子５２は省略している。
【００４４】
回路的にはモニタ類１１を一括して図１２のようにすることで、一組の電流制限素子５３と明るさ切替スイッチ素子５２とによって、充電モニタ１１ａ、ランプモニタ１１ｂ及び点検モニタ１１ｃの明るさを変化させることができる。
【００４５】
また、図１３のように、充電モニタ制御部４３の信号をＰＷＭなどの出力にすることで外部に部品を接続することなく明るさを変えることができる。
図１３は充電モニタ制御部４３の動作を示しており、図５に対応する明るさとして、基準の明るさ、モニタを暗くするとき、モニタを明るくするときの、それぞれの場合のＰＷＭ信号を示している。ＰＷＭ制御して人の目に見えない早さで点滅をさせＬＥＤの明るさを変える事はＬＥＤの電力を変えることによる調光方式で一般的に知られている。
【００４６】
なお、確認ボタン１５ａを操作した時には、モニタ類１１は「基準の明るさ」よりも明るくなるようにしておけば、モニタ類１１の確認が容易となる。
【００４７】
作業者がモニタ明るさ調整ボタン１５ｅを押下して明るさ低減信号をモニタ装置１００に送信することで充電モニタ１１ａの明るさ設定が暗くなるので、宿泊者は就寝時、快適に過ごせる。また、上記のように確認ボタン１５ａを操作した時には、モニタ類１１は「基準の明るさ」よりも明るくなるようにしておくことで、点検者が非常灯１を点検する際には、所定時間モニタを明るく点灯させることができる。よって、モニタ明るさ調整ボタン１５ｅと確認ボタン１５ａとによって、モニタ類１１を、使用者及び点検者の双方が満足する明るさにすることができる。
【００４８】
非常灯１にはランプモニタ１１ｂを備えているが、ランプモニタ１１ｂはランプ６が異常である場合に赤色で点灯して、ランプ６が異常である旨を報知するためのモニタである。赤いランプモニタ１１ｂが点灯していれば、宿泊者は就寝時に不快に思う。モニタ類１１は、点滅または点灯する前でも事前に明るさの設定が可能である。ランプモニタ１１ｂに関しても、事前にモニタ明るさ調整ボタン１５ｅから明るさ低減信号をモニタ装置１００に送信することで、ランプモニタ１１ｂの明るさ設定を暗くすることが可能である。ランプモニタ１１ｂの明るさ設定を「基準の明るさ」の設定よりも「暗い」設定に事前に設定しておくことが可能である。この設定により、ランプ６の異常が検出された場合、ランプモニタ１１ｂは「基準の明るさ」よりも暗く点灯する。なお、ランプモニタ１１ｂに関しても、確認ボタン１５ａが操作された場合に、制御回路２７は「基準の明るさ」、あるいは「基準の明るさ」よりも明るくランプモニタ１１ｂを点灯させれば、周りが明るくてランプモニタ１１ｂが見えにくい場合でもモニタの状態を確実に確認することができる。
【００４９】
＊＊＊実施の形態１の効果の説明＊＊＊
実施の形態１のモニタ装置１００によれば、制御回路２７は明るさ低減信号を受信した場合、機器である非常灯１の状態を示すモニタ類１１の発光状態を、暗くする。よって、宿泊客がモニタ類１１の明るさを不快に感じる恐れを低減することができる。
【００５０】
実施の形態２．
図１４から図１６を使用して実施の形態２を説明する。実施の形態２はリモコン１３の本体部１４の表面におけるボタン配置に関する。実施の形態１では、図４でモニタ明るさ調整ボタン１５ｅを備えるリモコン１３を示した。
図１４は、図１５、図１６で述べる実施の形態２のリモコン１３の比較例である。図１４のリモコン１３は器具切替スイッチ１７以外の構成は図４のリモコンと同様であるので、器具切替スイッチ１７のみを説明する。図１４のリモコン１３では、本体部１４の裏側には器具切替スイッチ１７が設置されていて、非常灯への使用と誘導灯への使用とで使い分けをするようになっている。チャンネル１は誘導灯に使用する場合であり、チャンネル２は非常灯に使用する場合である。非常灯と誘導灯は既に述べた通り、似た動作をするが別の製品であるため、点検動作をさせる時には非常灯用と誘導灯用でリモコンから発信する信号を分ける必要がある。つまり、非常灯の点検をするのに、作業者が誤って器具切替スイッチ１７を誘導灯用のチャンネル１で使用すると、近傍に設置された誘導灯が非常点灯してしまい、規定時間以上の連続充電がされないために自己点検に移行できないという懸念があった。
【００５１】
図１５は、この懸念をなくす実施の形態２のリモコン１３を示す図である。図１５は、リモコン１３におけるボタン配置を示している。実施の形態２のリモコン１３では上記の懸念をなくすため、本体部１４の表面は、第１の機器である誘導灯に使用する複数のボタンが配置された第１の配置領域１４−１と、第２の機器である非常灯に使用する複数のボタンが配置された第２の配置領域１４−２と、リモコン１３の生成部１５−１に明るさ低減信号及び明るさ増加信号を生成させるモニタ明るさ調整ボタン１５ｅが配置された第３の配置領域１４−３とに区分けされている。
【００５２】
誘導灯の場合にもモニタ類１１の明るさを調整したい場合がある。そのため、図１５のリモコン１３は、非常灯及び誘導灯に共通なボタンであるモニタ明るさ調整ボタン１５ｅが配置された、第３の配置領域１４−３を備えた構成となっている。図１５では、第３の配置領域１４−３は第１の配置領域１４−１及び第２の配置領域１４−２よりも下のリモコン本体の下方に配置されている。
図１６は、図１５と第３の配置領域１４−３の異なる配置を示す。図１６では、第３の配置領域１４−３は第１の配置領域１４−１と第２の配置領域１４−２との間に配置されている。第３の配置領域１４−３はリモコン本体の下方でなく、共通のボタンとして第１の配置領域１４−１と第２の配置領域１４−２の間にしてもよいし、第１の配置領域１４−１及び第２の配置領域１４−２よりもリモコン本体の上方に配置してもよい。
【００５３】
非常灯１の自己点検スイッチ１０を作業者が押し又は作業者がリモコン１３の自己点検ボタン１５ｂを押してリモコン１３から自己点検信号が送信されたとき、制御回路２７は、リモコン１３の確認ボタン１５ａが操作された時と同じ「モニタ類１１の動作」をさせる。これにより、４８時間の連続充電が出来ていない場合を明確に点検者に知らせることができ、誤って自己点検ボタンを押した場合にも不要な非常点灯への移行による連続充電時間の中断を防ぐことができる。
【００５４】
＊＊＊実施の形態２の効果＊＊＊
以上のようにリモコン１３の本体部１４の表面を第１の配置領域１４−１、第２の配置領域１４−２及び第３の配置領域１４−３のように区分けすることで、点検者及び非常灯または誘導灯が設置されている場所に居る人の、利便性を図ることができる。
【００５５】
実施の形態３．
図１７から図１９を参照して、実施の形態３を説明する。実施の形態３では、モニタ装置１００が照度センサ６１を使用する場合を説明する。実施の形態１、２では、非常灯を中心として、リモコン１３を使用した場合のモニタ類１１の明るさ操作についての例を示した。しかし、モニタ類１１を暗く設定するのは非常灯１を管理する側の作業者であり、宿泊客がモニタ類１１を暗くすることはできないため、実用的には不便である。そこで、実施の形態３では、照度センサ６１により照度を検出し、検出された照度に基づき、制御回路２７がモニタ類１１の明るさを暗くする。明るさを検出する照度センサ６１は、明るさ低減信号及び明るさ増加信号を送信する送信装置である。
（１）照度センサ６１は宿泊客が就寝時に部屋の照明を消灯した場合には、部屋の照度を検出する。
（２）照度センサ６１は、検出信号を信号受信部であるセンサ受信部６２を介して制御回路２７に出力する。
（３）制御回路２７は、センサ受信部６２を介して受信する検出信号が閾値を超えた場合に、モニタ類１１を暗くする。この場合、照度センサ６１の出力する検出信号は、暗いほど値が大きいとする。
【００５６】
制御回路２７は、照度センサ６１の検出信号に基づきモニタ類１１を暗くするので、屋外が暗くなった場合、または人が不在で照明が消灯されているような場合に、非常灯１のモニタ類１１を暗くすることができる。点検者が入室した際には、周囲が暗い時には、モニタ類１１が暗くともモニタ類１１の確認は容易である。この場合でも、作業者がモニタ類１１が確認しづらい時は、モニタ明るさ調整ボタン１５ｅで現在の暗くなっている状態から基準の明るさ、あるいは、基準の明るさよりも明るい設定にすればよく、問題もない。
【００５７】
図１７は、照度センサ６１を備えた場合の非常灯１の斜視図を示す。図１７の非常灯１は、図１に示す非常灯１に対して、照度センサ６１が配置されている。枠５には、照度センサ６１の穴が形成されおり、照度センサ６１はその穴から露出している。
図１８は、照度センサ６１を備えた場合の非常灯１のブロック図である。図１８は図７に対して、非常灯１が照度センサ６１を備えており、また、制御回路２７が照度センサ６１の出力する検出信号を受信する信号受信部であるセンサ受信部６２を備える点が異なる。
制御回路２７は、照度センサ６１の出力する検出信号をセンサ受信部６２を介して受信する。制御回路２７は検出信号と閾値を比較し、検出信号が閾値を超える場合、充電モニタ制御部４３及びランプモニタ制御部４４を制御することで、充電モニタ１１ａ及びランプモニタ１１ｂを現在よりも暗く点灯させる。この場合、閾値を超える検出信号は、明るさ低減信号である。制御回路２７は不揮発メモリを持っており、閾値はこの不揮発メモリに格納されている。
一方、照度センサ６１の周囲が明るくなり、制御回路２７の受信する検出信号が閾値以下になる場合、制御回路２７は、充電モニタ制御部４３及びランプモニタ制御部４４を制御し、充電モニタ１１ａ及びランプモニタ１１ｂを元通り明るく点灯させる。この場合、閾値以下の検出信号は、明るさ増加信号である。
【００５８】
図１９は、実施の形態３のモニタ装置１００の動作を示すフローチャートである。図１９を参照して実施の形態３のモニタ装置１００の動作を説明する。
【００５９】
ステップＳ２１において、制御回路２７は停電検出回路４８を用いて、停電かどうか判定する。停電の場合、処理はステップＳ２８に進み、制御回路２７は非常点灯を行う。停電ではない場合、処理はステップＳ２２に進む。
ステップＳ２２において、制御回路２７は、電池電圧検出部４２を用いて、電池３が有り、かつ、充電中かどうかを判定する。充電中では無い場合、処理はステップＳ２９に進み、制御回路２７は充電モニタ制御部４３を用いて、充電モニタ１１ａを消灯する。充電中の場合、処理はステップＳ２３に進み、制御回路２７は電池電圧検出部４２を用いて、電池３が寿命かどうか判定する。電池３が寿命である場合、処理はステップＳ３０に進む。
【００６０】
ステップＳ３０において、制御回路２７は照度センサ６１を用いて周囲の明るさをチェックする。ステップＳ３１において、制御回路２７は、充電モニタ１１ａが明るすぎるかどうかを判定する。この判定は上記で述べた閾値を用いた判定である。明るすぎると判定した場合（ステップＳ３１でＹＥＳ）、制御回路２７は充電モニタ１１ａを暗く点滅させる（ステップＳ３２）。明るすぎないと判定した場合（ステップＳ３１でＮＯ）、制御回路２７は充電モニタ１１ａを基準の明るさで点滅させる（ステップＳ３３）。
電池３が寿命でない場合（ステップＳ２３でＮＯ）、処理はステップＳ２４に進む。
【００６１】
ステップＳ２４において、制御回路２７は、ステップＳ３０と同様に、照度センサ６１を用いて周囲の明るさをチェックする。
ステップＳ２５において、ステップＳ３１と同様に、制御回路２７は、充電モニタ１１ａが明るすぎるかどうかを判定する。明るすぎると判定した場合（ステップＳ２５でＹＥＳ）、制御回路２７は充電モニタ１１ａを暗く点灯させる（ステップＳ２７）。明るすぎないと判定した場合（ステップＳ２５でＮＯ）、制御回路２７は充電モニタ１１ａを基準の明るさで点灯させる（ステップＳ２６）。
【００６２】
＊＊＊実施の形態３の効果＊＊＊
実施の形態３の非常灯１によれば、モニタ類１１は、作業者の操作とは関係なく、照度センサ６１の周囲が暗くなることに伴って明るさが暗くなるので、実用上、便利である。また、リモコン１３を用いた設定では、作業者がモニタ類１１を暗くする設定を忘れることがあるが、照度センサ６１を用いる場合はそのような心配がない。
【００６３】
実施の形態４．
図２０から図２２を参照して、実施の形態４を説明する。実施の形態４は、モニタ装置１００を誘導灯に適用する場合を説明する。
【００６４】
実施の形態１から３では、客室に設置されている非常灯を想定して、モニタ明るさ調整ボタン１５ｅを用いてモニタ類１１の明るさを暗くする方法を述べた。非常灯の他にも、モニタの明るさ調整機能を活用することができる。たとえば、映画館及び劇場のような場所において、誘導灯の表示パネルは、誘導灯用信号装置の操作により、管理者が上映中に表示パネルを消灯する事が許されている。しかし、充電モニタ１１ａ、ランプ異常のときのランプモニタ１１ｂは点灯または点滅を継続する。また、非常灯についても、この状況は同様である。上映中に鑑賞者が充電モニタ１１ａ、ランプモニタ１１ｂのようなモニタ類１１を確認する必要はないので、鑑賞者にとっては、モニタ類１１の点灯または点滅は不要であると言える。そこで、誘導灯であっても、不必要な時にモニタ類１１が目立ち過ぎないように、モニタ明るさ調整ボタン１５ｅを押下したときのモニタ明るさ調整機能で、モニタ類１１を暗く設定できるようにしておけば、鑑賞者の鑑賞に支障を生じない。
実施の形態４では、映画館及び劇場のような場所において、誘導灯のモニタ類１１の明るさを、モニタ明るさ調整機能で暗くなるように設定する。
【００６５】
図２０は、誘導灯７１の分解斜視図である。誘導灯７１は、壁に形成された取付穴に埋め込まれて取付穴に設置される、埋め込み型の誘導灯器具である。誘導灯７１は、器具本体７４と、枠７５とを有する。
誘導灯７１の光源はＬＥＤモジュール７６である。ＬＥＤモジュール７６は、表示パネル７７の上部に配置される。器具本体７４の内部には、端子台７８と、点灯ユニット７２と、電池７３とが収納される。端子台７８と点灯ユニット７２と電池７３とは、器具本体７４の内部に配置される。
【００６６】
図２１は、誘導灯７１の正面から見た外観図及び操作部７９の拡大図である。誘導灯７１の外観では、器具本体７４、枠７５、表示パネル７７が見える。ＬＥＤモジュール７６は枠７５に覆われており、ＬＥＤモジュール７６は破線で示している。器具本体７４は壁に開けられた穴に埋め込まれた状態に設置され、壁の穴を覆う意匠面となる枠７５を備える。
【００６７】
枠７５の下部には、図１の非常灯１と同様の操作部７９が配置されている。操作部７９は、以下の（１）から（４）を有する。以下の（１）から（４）は、図１の非常灯１と同じである。
（１）誘導灯７１の動作を確認するための点検スイッチ９、
（２）点検を自動的に行うためのスイッチである自己点検スイッチ１０、
（３）誘導灯７１の動作状態を表示するモニタ類１１である充電モニタ１１ａ、ランプモニタ１１ｂ及び点検モニタ１１ｃ、
（４）リモコン１３からの無線信号を受ける受光部１２。
操作部７９の動作は、非常灯１の場合と同様である。リモコン１３のモニタ明るさ調整ボタン１５ｅによって信号が送信された場合、制御回路２７は、信号を受光部１２及び信号受信部３６を介して受信する。制御回路２７は、モニタ類１１の明るさを、信号に従って調整する。主要動作の動作フローは実施の形態１から３で述べたモニタ装置１００と同じである。
【００６８】
実施の形態３で述べた非常灯１と同様に、誘導灯７１においても、照度センサ６１の検出信号に連動させてモニタ類１１の明るさを調整することも有用である。この場合は、図２２のように操作部７９に照度センサ６１を追加する。照度センサ６１を用いる誘導灯７１の動作は、実施の形態３で述べた非常灯１のモニタ装置１００と同じである。
【００６９】
＊＊＊実施の形態４の効果＊＊＊
実施の形態４の誘導灯によれば、モニタ装置１００によってモニタ類１１の明るさを暗くすることができるので、観客がモニタ類１１の明るさを不快に感じる恐れをなくすことができる。
【００７０】
実施の形態５．
図２３から図２５を参照して、実施の形態５を説明する。誘導灯では、実施の形態４で述べたように、誘導灯用信号装置の操作によって管理者が上映中に表示パネル７７を消灯する事が許されている。ＬＥＤモジュール７６を消灯する消灯信号で上演時に表示パネル７７を発光させるＬＥＤモジュール７６を消灯し、かつ、モニタ類１１を暗くすることも可能である。実施の形態５では、モニタ装置１００の制御回路２７は、ＬＥＤモジュール７６の消灯を指示する消灯信号を受信した場合、ＬＥＤモジュール７６を消灯することに加え、モニタ類１１の明るさを暗くする。つまり、制御回路２７は、表示パネル７７を発光させる発光用光源であるランプ６の明るさを制御する。制御回路２７は、信号受信部である消灯制御回路２０３がランプ６の消灯を指示する消灯信号を受信した場合に、ランプ６を消灯し、かつ、モニタ用光源である充電モニタ１１ａの明るさ設定を消灯信号の受信の直前の明るさ設定よりも暗く設定する。消灯信号の受信の時とは、消灯信号の受信直前を意味する。なお、誘導灯７１は、機器の状態を発光状態によって通知するモニタ用光源の「機器」に当たる。
【００７１】
図２３は、誘導灯７１のモニタ類１１の点灯及び点滅の状態を示す。具体的に説明すれば、図２３は、自己点検中表示、充電の正常時、「寿命」または「外れ、破損」の場合の電池異常時、「寿命」または「外れ、破損」の場合のランプ異常時、点検可能状態、及び点検不可能状態における、充電モニタ１１ａ、ランプモニタ１１ｂ及び点検モニタ１１ｃの、モニタ表示を示す。誘導灯７１の場合、図８の非常灯１と比べて、ランプ異常時に、さらに「寿命時」が含まれている。
【００７２】
図２４は、この場合の回路のブロック図である。図２０の電池７３は電池３と表記している。図２０のＬＥＤモジュール７６はランプ６と表記している。図２４に示す誘導灯７１の備えるモニタ装置１００は、消灯信号を受信した場合、ＬＥＤモジュール７６を消灯することに加え、モニタ類１１の明るさを暗くする。
誘導灯７１は常用時に表示パネル７７を点灯させるため、この点灯させる部分が図７に示す非常灯１のブロック図と異なるが、他は図７と同等である。
【００７３】
実施の形態１の非常灯１と異なる部分のみを説明する。常用時にランプ６を点灯させる誘導灯７１は、以下のような動作をする。
【００７４】
第１ＤＣ−ＤＣコンバータ２３は、常用時にランプ６を点灯する為の出力を、ダイオード２０１及び電解コンデンサ２０２で生成し、常用時ランプスイッチ２０７を介して、ランプ６に供給する。ランプ６には、非常時に電力を供給する第２ＤＣ−ＤＣコンバータ２９が接続されるため、出力は必要に応じてオア回路２０８で分離する。
誘導灯７１を消灯する為の消灯信号は商用電源ＡＣ２１から分岐し、前述のように管理者による誘導灯用信号装置の操作により、上映中に表示パネルを消灯するようになっている。この動作が消灯スイッチ２０５のオフにあたる。消灯スイッチ２０５がオフになったことを消灯検出回路２０４が検出する。消灯スイッチ２０５がオフになったことを検出した場合、消灯検出回路２０４は消灯信号を出力する。消灯制御回路２０３は信号受信部である。制御回路２７は消灯制御回路２０３を介して消灯信号を受信した場合、常用時のランプの点灯を制御する常用ランプ点灯制御部２０６から信号を出力させて、常用時ランプスイッチ２０７をオフさせる。これによりランプ６が消灯する。この時に、制御回路２７は、消灯と同時に、モニタ類１１を暗くすることで、上映及び上演に支障のない明るさにモニタ類１１を調整する。
【００７５】
図２５は、誘導灯７１の動作を示すフローチャートである。図２５を参照して、実施の形態５の誘導灯７１の動作を説明する。図２５の動作の主体は、制御回路２７である。
【００７６】
ステップＳ３１において、制御回路２７は停電検出回路４８を用いて、停電かどうか判定する。停電の場合、処理はステップＳ３７に進み、制御回路２７は非常点灯を行う。停電ではない場合、処理はステップＳ３２に進む。
ステップＳ３２において、制御回路２７は、電池電圧検出部４２を用いて、電池３が有り、かつ、充電中かどうかを判定する。充電中でない場合、処理はステップＳ３８に進み、制御回路２７は充電モニタ制御部４３を用いて、充電モニタ１１ａを消灯する。充電中である場合、処理はステップＳ３３に進み、制御回路２７は電池電圧検出部４２を用いて、電池３が寿命かどうか判定する。電池３が寿命である場合、処理はステップＳ３９に進み、制御回路２７は表示パネル７７を消灯するか、つまりランプ６を消灯するかを判定する。制御回路２７がランプ６を消灯するのは、上記のように、消灯信号を受信した場合である。
ランプ６を消灯する場合、制御回路２７はランプ６を消灯し、かつ、充電モニタ１１ａを暗く点滅させる（ステップＳ４０）。ランプ６を消灯しない場合、充電モニタ１１ａを基準の明るさで点滅させる（ステップＳ４１）。
【００７７】
電池３が寿命でない場合、処理はステップＳ３４に進む。
ステップＳ３４において、制御回路２７は、ランプ６を消灯するかを判定する。ランプ６を消灯する場合、制御回路２７はランプ６を消灯し、かつ、充電モニタ１１ａを暗く点灯させる（ステップＳ３５）。ランプ６を消灯しない場合、充電モニタ１１ａを基準の明るさで点灯させる（ステップＳ３６）。
非常灯１のモニタ動作にあたっては、リモコン１３での操作、センサと連動する動作、を組み合わせて、使い勝手がよく安全な非常灯１を実現してもよい。誘導灯７１のモニタ動作にあたっては、リモコンでの操作と、照度センサと連動する動作と、消灯スイッチ２０５との動作を組み合わせて、使い勝手がよく安全な誘導灯７１を実現してもよい。実施の形態２ではリモコン１３のボタンの配置領域を分けることで、誤操作のないことを説明した。しかし、図１４に示したような、シンプルなボタン配置が望ましければ、確認ボタン１５ａの長押しによって、モニタ類１１の明るさが変化するようにしても良い。長押しとは、例えば２秒以上である。
確認ボタン１５ａに関しては、
（１）通常のボタン押下で明るさは通常となり
（２）次に、２秒以上長押し、ボタンから手を離すことで明るくなり、
（３）次に、２秒以上長押し、ボタンから手を離すことで暗くなり、
（４）上記（１）の通常の明るさの状態で何度かボタンを押下することで、モニタ類１１が適切な明るさに設定できる構成としても良い。
【００７８】
なお、ランプ６はＬＥＤに限定されず、有機ＥＬの他、様々な光源を用いてもよい。光源の種類に合わせた点灯回路を点灯ユニット２に備えてもよい。
【００７９】
＊＊＊実施の形態５の効果＊＊＊
実施の形態５の誘導灯によれば、モニタ装置１００は、消灯信号を検出した場合に、光源を消灯するのと連動してモニタ類１１の明るさを暗くするので、実施の形態４と同様に観客がモニタ類１１の明るさを不快に感じる恐れをなくすことができる。また、モニタ装置１００は光源を消灯するのと連動してモニタ類１１の明るさを暗くするので、一度の操作によって消灯と、モニタ類１１を暗くすることの両方ができるので、作業者の利便性が高まる効果が有る。
【符号の説明】
【００８０】
１  非常灯、２  点灯ユニット、３  電池、４  器具本体、５  枠、６  ランプ、６ａ
レンズ、７  取付バネ、８  端子台、９  点検スイッチ、１０  自己点検スイッチ、１１  モニタ類、１１ａ  充電モニタ、１１ｂ  ランプモニタ、１１ｃ  点検モニタ、１２  受光部、１３  リモコン、１４  本体部、１４−１  第１の配置領域、１４−２  第２の配置領域、１４−３  第３の配置領域、１５  ボタン類、１５ａ  確認ボタン、１５ｂ  自己点検ボタン、１５ｃ  中断ボタン、１５ｄ  手動点検ボタン、１５ｅ  モニタ明るさ調整ボタン、１５−１  生成部、１６  送信部、１７  器具切替スイッチ、２１  商用電源、２２  整流回路、２３  第１ＤＣ−ＤＣコンバータ、２５  充電回路、２６  制御電源生成回路、２７  制御回路、２９  第２ＤＣ−ＤＣコンバータ、３０  第２ＤＣ−ＤＣコンバータ制御回路、３４  ランプ電流検出回路、３５  受信回路、３６  信号受信部、３７  点検信号受信部、３８  自己点検信号受信部、４１  出力電圧検出部、４２  電池電圧検出部、４３  充電モニタ制御部、４４  ランプモニタ制御部、４５  点検モニタ制御部、４６  遮断回路制御部、４７  遮断回路、４８  停電検出回路、５０  電流制限素子、５１  モニタ明るさ制御部、５２  明るさ切替スイッチ素子、５３  電流制限素子、６１  照度センサ、６２  センサ受信部、７１  誘導灯、７２  点灯ユニット、７３  電池、７４  器具本体、７５  枠、７６  ＬＥＤモジュール、７７  表示パネル、７８  端子台、７９  操作部、１００  モニタ装置、２００  天井面、２０１  ダイオード、２０２  電解コンデンサ、２０３  消灯制御回路、２０４  消灯検出回路、２０５  消灯スイッチ、２０６  常用ランプ点灯制御部、２０７  常用時ランプスイッチ、２０８  オア回路、２１０  光源ユニット、２２０  取付金具。
【図１】
2019212454.tif 000003
【図２】
2019212454.tif 000004
【図３】
2019212454.tif 000005
【図４】
2019212454.tif 000006
【図５】
2019212454.tif 000007
【図６】
2019212454.tif 000008
【図７】
2019212454.tif 000009
【図８】
2019212454.tif 000010
【図９】
2019212454.tif 000011
【図１０】
2019212454.tif 000012
【図１１】
2019212454.tif 000013
【図１２】
2019212454.tif 000014
【図１３】
2019212454.tif 000015
【図１４】
2019212454.tif 000016
【図１５】
2019212454.tif 000017
【図１６】
2019212454.tif 000018
【図１７】
2019212454.tif 000019
【図１８】
2019212454.tif 000020
【図１９】
2019212454.tif 000021
【図２０】
2019212454.tif 000022
【図２１】
2019212454.tif 000023
【図２２】
2019212454.tif 000024
【図２３】
2019212454.tif 000025
【図２４】
2019212454.tif 000026
【図２５】
2019212454.tif 000027